(57)【要約】【課題】供給形態に対応して任意にパチンコ球の払出速度が変更できる球払出装置を提供する。【解決手段】パチンコ球が流下する球通路２９と、外周に複数の凹部３６，凸部３７が定ピッチで設けられ前記球通路２９に臨んで該球通路２９のパチンコ球を自重で流下させることにより回転する払出回転体３０とを備えた球払出装置２４であって、前記払出回転体３０は前記凸部３７の背面を凹部３６にわたり該払出回転体３０の回転中心３９からの距離が漸次減少する外膨状に形成すると共に該払出回転体３０を交換自在に設け、該払出回転体３０を前記凸部３７の背面の沿面距離Ｃが異なるものに交換することにより、パチンコ球の払出速度が変更されるようにした。【選択図】  図４
2004305512.tif 000002
【特許請求の範囲】
【請求項１】
パチンコ球が流下する球通路と、外周に複数の凹部，凸部が定ピッチで設けられ前記球通路に臨んで該球通路のパチンコ球を自重で流下させることにより回転する払出回転体とを備えた球払出装置であって、
前記払出回転体は前記凸部の背面を凹部にわたり該払出回転体の回転中心からの距離が漸次減少する外膨状に形成すると共に該払出回転体を交換自在に設け、該払出回転体を前記凸部の背面の沿面距離が異なるものに交換することにより、パチンコ球の払出速度が変更されるようにしたことを特徴とする球払出装置。
【請求項２】
パチンコ球が流下する球通路と、前記球通路に臨んで該球通路を自重で流下するパチンコ球を制御する払出制御体とを備えた球払出装置であって、
前記球通路にパチンコ球の流れを規制する流速規制手段を設けると共に該球通路を交換自在に設け、該球通路を前記流速規制手段が異なるものに交換することにより、パチンコ球の払出速度が変更されるようにしたことを特徴とする球払出装置。
【請求項３】
パチンコ球が流下する球通路と、外周に複数の凹部，凸部が定ピッチで設けられ前記球通路に臨んで該球通路のパチンコ球を自重で流下させることにより回転する払出回転体とを備えた球払出装置であって、
前記払出回転体は前記凸部の背面を凹部にわたり該払出回転体の回転中心からの距離が漸次減少する外膨状に形成すると共に該払出回転体を交換自在に設け、一方前記球通路はパチンコ球の流れを規制する流速規制手段を設けると共に該球通路を交換自在に設け、前記凸部の背面の沿面距離が異なる払出回転体又は流速規制手段が異なる球通路の少なくともいずれか一方を交換することにより、パチンコ球の払出速度が変更されるようにしたことを特徴とする球払出装置。
【請求項４】
前記流速規制手段は、パチンコ球の流下方向を変えることにより流速が変化するように球通路の傾斜角度を異ならせるようにしたことを特徴とする請求項２又は３記載の球払出装置。
【請求項５】
前記流速規制手段は、前記球通路に臨んで設けられ該球通路を流下するパチンコ球が接触する可動体である請求項２乃至４のいずれかに記載の球払出装置。
【請求項６】
前記可動体は付勢部材により前記球通路内に進入するように付勢され該付勢部材の付勢力を異ならせることによりパチンコ球の流速を規制するようにしたことを特徴とする請求項５記載の球払出装置。
【請求項７】
パチンコ球が流下する球通路と、前記球通路に臨んで該球通路を自重で流下するパチンコ球を制御する払出制御体とを備えた球払出装置であって、
前記球通路は流下方向を変えることにより流速が変化する流速規制通路部を有すると共に該流速規制通路部を交換自在に設け、前記流速規制通路部を流下方向が異なるものに交換することにより、パチンコ球の払出速度が変更されるようにしたことを特徴とする球払出装置。
【発明の詳細な説明】
【０００１】
【発明の属する技術分野】
本発明は、パチンコ遊技機の球払出装置に関するもので、特に自重で流下するパチンコ球を制御することにより所定個数のパチンコ球を払出す球払出装置に関するものである。
【０００２】
【従来の技術】
従来パチンコ球の自重によりパチンコ球を払出す球払出装置は、パチンコ球の自重により回転するスプロケットを球通路に臨ませて、該スプロケットの凸部にソレノイドの可動鉄片を当接させ、ソレノイドの励磁によって前記可動鉄片をスプロケットから離反させて、パチンコ球の自重によりスプロケットを回転させてパチンコ球を払出し、ソレノイドの消磁により前記可動鉄片をスプロケットの凸部に再当接させて、スプロケットの回転を停止させるようにしている（例えば、特許文献１参照。）。
【０００３】
【特許文献１】
特開平４−２５６７６７号公報
【０００４】
【発明が解決しようとする課題】
ところで、従来の球払出装置は、球荷重により回転するスプロケットの凸部にソレノイドの可動鉄片を当接することによって該スプロケットの回転を停止させるため、高速の払出しは可能であるものの、球払出装置の上方の誘導樋の状態によってはパチンコ球の供給が追いつかなくなり、パチンコ球間に隙間が生じ球噛みを起したり空切りを起したりするという問題があった。
【０００５】
そこで本発明は、従来技術の有するこのような問題点に鑑みてなされたものであり、その目的とするところは、誘導樋の状況に応じて確実な払出しができる球払出装置を提供しようとするものである。
【０００６】
【課題を解決するための手段】
上記目的を達成するために、請求項１記載の発明は、パチンコ球が流下する球通路と、外周に複数の凹部，凸部が定ピッチで設けられ前記球通路に臨んで該球通路のパチンコ球を自重で流下させることにより回転する払出回転体とを備えた球払出装置であって、前記払出回転体は前記凸部の背面を凹部にわたり該払出回転体の回転中心からの距離が漸次減少する外膨状に形成すると共に該払出回転体を交換自在に設け、該払出回転体を前記凸部の背面の沿面距離が異なるものに交換することにより、パチンコ球の払出速度が変更されるようにしたことを特徴とし、パチンコ球の払出速度を制御可能として所定時間内に払出される最大払出個数を変更するようにした。ここでいう「沿面距離」とは、凸部から凹部にわたる表面に沿った最短距離を意味する。
【０００７】
請求項２記載の発明は、パチンコ球が流下する球通路と、前記球通路に臨んで該球通路を自重で流下するパチンコ球を制御する払出制御体とを備えた球払出装置であって、前記球通路にパチンコ球の流れを規制する流速規制手段を設けると共に該球通路を交換自在に設け、該球通路を前記流速規制手段が異なるものに交換することにより、パチンコ球の払出速度が変更されるようにしたことを特徴とし、パチンコ球の払出速度を制御可能として所定時間内に払出される最大払出個数を変更するようにした。
【０００８】
請求項３記載の発明は、パチンコ球が流下する球通路と、外周に複数の凹部，凸部が定ピッチで設けられ前記球通路に臨んで該球通路のパチンコ球を自重で流下させることにより回転する払出回転体とを備えた球払出装置であって、前記払出回転体は前記凸部の背面を凹部にわたり該払出回転体の回転中心からの距離が漸次減少する外膨状に形成すると共に該払出回転体を交換自在に設け、一方前記球通路はパチンコ球の流れを規制する流速規制手段を設けると共に該球通路を交換自在に設け、前記凸部の背面の沿面距離が異なる払出回転体又は流速規制手段が異なる球通路の少なくともいずれか一方を交換することにより、パチンコ球の払出速度が変更されるようにしたことを特徴とし、パチンコ球の払出速度を制御可能として所定時間内に払出される最大払出個数を変更するようにした。
【０００９】
請求項４記載の発明は、請求項２又は３記載の発明において、前記流速規制手段は、パチンコ球の流下方向を変えることにより流速が変化するように球通路の傾斜角度を異ならせるようにしたことを特徴とする。また、球通路の屈曲具合（湾曲率）を変更することでパチンコ球の流れを規制し、払出回転体への供給を調整して空切り・球噛みをなくすようにするのがよい。
【００１０】
請求項５記載の発明は、請求項２乃至４のいずれかに記載の発明において、前記流速規制手段は、前記球通路に臨んで設けられ該球通路を流下するパチンコ球が接触する可動体である。
【００１１】
請求項６記載の発明は、請求項５記載の発明において、前記可動体は付勢部材により前記球通路内に進入するように付勢され該付勢部材の付勢力を異ならせることによりパチンコ球の流速を規制するようにしたことを特徴とする。
【００１２】
請求項７記載の発明は、パチンコ球が流下する球通路と、前記球通路に臨んで該球通路を自重で流下するパチンコ球を制御する払出制御体とを備えた球払出装置であって、前記球通路は流下方向を変えることにより流速が変化する流速規制通路部を有すると共に該流速規制通路部を交換自在に設け、前記流速規制通路部を流下方向が異なるものに交換することにより、パチンコ球の払出速度が変更されるようにしたことを特徴とし、パチンコ球の払出速度を制御可能として所定時間内に払出される最大払出個数を変更するようにした。
【００１３】
また、前記球通路を、前記供給路と連通する流入通路部と、前記払出回転体によってパチンコ球が移動する移送通路部と、前記払出回転体の支持から外れて払出される排出通路部とに分割形成して、それぞれを交換自在とするようにしてもよい。
【００１４】
また、パチンコ球が流下する球通路と、前記球通路に臨んで該球通路を自重で流下するパチンコ球を制御する払出制御体とを備えた球払出装置であって、前記球通路に臨んでパチンコ球の流れを規制する流速規制手段を設けると共に該流速規制手段を交換自在に設け、前記流速規制手段を異なるものに交換することにより、パチンコ球の払出速度が変更されるようにしてもよく、パチンコ球の払出速度を制御可能として所定時間内に払出される最大払出個数を変更することができる。
【００１５】
前記払出回転体は制御手段により回転を制御され、該制御手段は前記払出回転体の側方に位置して凹凸部と同ピッチで設けられる突出体と、電気的駆動源の作動によって前記突出体間に進退自在に回動する作動体とを備え、前記突出体を受け止める前記作動体の受止面を該作動体の回動軸がほぼ中心である円弧面状に形成するのが好ましい。このように、作動体の受止面がほぼ回転軸を中心とする円弧面状に形成すると、停止時の作動体への球荷重は回動軸に掛かることになり、払出回転体を確実に制御することができる。ここでいう「突出体」とは、棒状のものまたは板状のものを含む。前記突出体を板状のものとし、前記払出回転体に放射状となるように設けるのが好ましく、前記払出回転体が回転することにより周辺の空気を拡散し、生じる風を電気的駆動源に当てることで該電気的駆動源を冷却することができるので、電気的駆動源が頻繁に作動したとき等に従来生じていた過熱を防止することができる。
【００１６】
前記作動体を作動する電気的駆動源は、ソレノイド，正逆モータ，ロータリーソレノイドである。また、作動体はリンク部材を介して可動するようにしてもよい。
【００１７】
前記球通路は、パチンコ球が複列又は半複列に流下する幅広とするのが好ましく、該球通路にパチンコ球の球心がずれてランダムに連続して並びその流下方向のパチンコ球の球心間がパチンコ球の径より小となることから、払出時にパチンコ球間に間隙が生じることなく、間断なく払出回転体に供給でき高速の払出しに対応することができる。
【００１８】
なお、本発明の球払出装置は、貸球または賞球用の球払出装置に限られることなく、パチンコ遊技機間に設けられる球貸し機、球タンクへの補給機にも適用することができる。さらに、本発明の球払出装置が高速の払出しに対応できることから、パチンコ球を賭数として回収して変動図柄を揃える「パチロット」の賭数回収装置及び賞球払出装置にも適用することができる。
【００１９】
【発明の実施の形態】
本発明の実施の形態について図面を参照して説明する。図１はパチンコ遊技機の正面図、図２はパチンコ遊技機の裏面図である。図において、１はパチンコ遊技機の機枠であり、該機枠１の前面に合成樹脂又はベニヤ等の木材によってほぼ中央部に窓孔を有する額縁状に形成された前面枠２が開閉可能に取付けられている。前記前面枠２の前面にはガラス扉枠３と前面板４とが開閉自在に装着されており、その前面板４の前面に打球を供給する上部球受皿５が取付けられている。また、前面枠２の下部には前記上部球受皿５から溢出る余剰球を貯留する下部球受皿６及びパチンコ球の弾発力を調節する操作ハンドル７が設けられている。
【００２０】
前記前面枠２の窓孔の後部位置には遊技盤８が設けられ、該遊技盤８の前面には打球を遊技領域８ａ誘導するガイドレール９が配設されている。そして、このガイドレール９によって囲まれる遊技領域８ａのほぼ中央に可変表示装置１０が設けられ、下方に始動入賞口１１，一般入賞口１２，可変大入賞口１３が配設されている。
【００２１】
一方、前面枠２の裏面には遊技盤８の全体を覆うように合成樹脂製の機構板１５が開閉自在に装着されており、その遊技盤８の裏面と相対する機構板１５の開口窓１６下部に前記始動入賞口１１，一般入賞口１２，可変大入賞口１３に入賞し入賞球検出器で検出された入賞球を集合する入賞球集合部１７が形成されている。そして、前記入賞球集合部１７の下方であり、かつ平坦面として形成された板状部に球払出制御基板１８が設置されている。１９は遊技盤８の裏面に設置され、前記開口窓１６から臨む大型の基板ボックスであり、該基板ボックス１９には遊技機全体の遊技動作を制御する遊技制御基板が収納されている。
【００２２】
また、機構板１５の裏面上部にはパチンコ球を貯留する球タンク２０が設けられており、該球タンク２０の下方には球払出装置２４に該球タンク２０のパチンコ球を整列して導く誘導樋２２が設けられている。該誘導樋２２は開口窓１６の上方に位置する傾斜樋２２ａと開口窓１６の側方に位置する屈曲樋２２ｂとで構成され、球タンク２０の球出口から導出されたパチンコ球がランダムな状態で流下する約２０ｍｍ幅の供給通路２１を有している。
【００２３】
また、前記球払出装置２４の下方に位置して該球払出装置２４から払出されたパチンコ球を前面枠２の前面の上部球受皿５に導く球排出樋２５と、該上部球受皿５にパチンコ球が充満したとき、その余剰球を下部球受皿６に導く余剰球通路２６が後面を開口した樋状として形成されており、その後面開口がカバー板２７によって覆われている。
【００２４】
次に、図３乃至図６を参照して球払出装置２４の構成について説明する。球払出装置２４は、箱枠状のケース体２８に前記屈曲樋２２ｂの供給通路２１と連通する球通路２９と、前記球通路に臨んで該球通路を自重で流下するパチンコ球を制御する払出制御体と、前記払出回転体３０の回転を制御する制御手段３１とを備え構成している。前記払出制御体は、実施の形態において外周に複数の凹部，凸部が定ピッチで設けられ、前記球通路２９に臨み最先のパチンコ球を制御支持しパチンコ球の荷重により回転する払出回転体３０であり、該払出回転体３０はケース体２８に交換自在に設けられる。前記ケース体２８は、前記球通路２９が形成される本体２８ａと該球通路２９を閉塞する仕切板２８ｂとカバー体２８ｃとで構成されている。
【００２５】
前記球通路２９は、図６に示すように始端部を前記屈曲樋２２ｂの供給通路２１と同幅であり払出回転体３０の回転方向にパチンコ球が２個並ばない約２０ｍｍの通路幅として、緩やかな湾曲壁３５によって下流に向うに従いほぼパチンコ球１個分に漸次絞られた流入通路部２９ａと、払出回転体３０に沿った円弧状の移送通路部２９ｂと、前記払出回転体３０の支持から外れて払出される傾斜状の排出通路部２９ｃとで構成されている。前記排出通路部２９ｃは、払出回転体３０の高速回転（１分間に８００個以上の払出し回転，１ｋｍ／時以上）によって巻き込むように払出されるパチンコ球が、側壁に衝突しないように幅広の傾斜状に形成されている。なお、前記排出通路部２９ｃを払出回転体３０に沿った円弧状の通路としてもよい。このとき、前記移送通路部２９ｂ及び排出通路部２９ｃは、払出回転体３０の回転軸心３９を中心とした円弧状でもよい。
【００２６】
前記払出回転体３０は、外周に凹部，凸部としての凹歯３６，凸歯３７が複数（本実施の形態において５個）定ピッチで設けられるスプロケットタイプで、前記球通路２９内に臨んでパチンコ球を凸歯３７で支持して、該パチンコ球の重量が該払出回転体３０に回転トルクを及ぼすように軸支３９している。前記凸歯３７は、頂点から背面にわたり該払出回転体３０の回転中心である軸心３９からの距離が漸次減少する外膨状の巴形状として、凸歯３７で支持されたパチンコ球を円弧凹状の凹歯３６に素早く受入れるようにしている。このため、高速回転による払出しに対応することができる。具体的には、払出回転体３０は直径を約３０ｍｍとして凸歯３７から凹歯３６にかけての円弧面を、支軸３９の回転中心に対して偏心したＲ６．５の円弧により巴形状としている。そして、この巴形状を変えることで、凸歯３７から凹歯３６に亘る表面に沿った最短距離である沿面距離Ｃが変更され、払出回転体３０の回転速度が変化して、それに伴いパチンコ球の払出速度が変更され、所定時間内に払出される連続払出個数の最大個数も変化する。つまり、凸歯３７から凹歯３６にかけての巴形状を、軸心３９からの距離の逓減率を小さくして変形させることによって、凸歯３７の背面の沿面距離Ｃが長くなって凹歯３６に受入れられる時間が遅くなり、パチンコ球の流下速度を減速するブレーキ効果を得ることができる。
【００２７】
この実施の形態においては、前記払出回転体３０とほぼ直径を同じにして互換性を有し、交換可能な払出回転体として、図７（イ），（ロ）に示すように支軸３９の回転中心に対して偏心した半径Ｒ８及び半径Ｒ１０の円弧により巴形状とした払出回転体３０を例にして説明する。該払出回転体３０の半径Ｒが大きくなればなるほど巴形状が緩やかとなり、前記凸歯３７の凹歯３６にかけての背面の沿面距離Ｃが短くなり、凸歯３７で支持されたパチンコ球が凹歯３６に早く受入れられることから、払出回転体３０が高速で回転してパチンコ球の払出速度が速くなり、所定時間内（例えば１分間）に払出される最大払出個数を多くすることができる。なお、前記払出回転体３０は実施の形態のものに限定されるものではなく、例えば凸歯３７の背面の一部に直線部を備える等して巴形状を異ならせてもよく、沿面距離Ｃは任意に変更可能である。このとき、凸歯３７の背面形状は、当然払出回転体３０の回転中心からの距離が漸次減少するように形成される。また、前記直線部は回転中心から該直線部に向って引かれる仮想線が直交しないようにするのが好ましく、前記仮想線が直交する直線部を有すると球圧が軸心３９に向って作用するようになり、パチンコ球の自重により回転しにくくなるからである。このため、仮想線が直角に近しい鋭角をなす直線部を有すると、払出回転体３０の回転速度が遅くなり、パチンコ球の払出速度が変更される。また、凸歯３７上面の凹歯３６に向けての角度を異ならせるようにしてもよい。払出回転体３０は合成樹脂に限らず、強度及び静電気除去を目的として合成樹脂に金属繊維を混合したもの，アルミ合金等のダイカストまたはマグネシウムをチクソーモールディングで成形する等金属で成形したものであってもよい。また、前記凹歯３６は円弧凹状に限定されることなく、パチンコ球の半球分以下が嵌入しパチンコ球を支持するＶ溝状であってもよい。
【００２８】
前記制御手段３１は、前記払出回転体３０の軸方向側方に位置して前記凹凸歯３６，３７と同ピッチで突出して設けられる突出体としての軸ピン３８と、電気的駆動源の作動によって前記軸ピン３８，３８間に進退自在に出没する作動体３２とを備えている。前記軸ピン３８は、前記凹歯３６と同数（５個所）設けられた円柱ピンである。なお、前記軸ピン３８は円柱ピンに限定されることなく多角柱等の軸状の突出体であってもよく、作動体３２と接触する少なくとも回転方向側を円弧面状に形成するのが好ましく、蒲鉾状の半円柱としてもよい。一方、前記作動体３２は、前記払出回転体３０の回転方向側方に位置して、リンク部材６５を介して電気的駆動源としてのソレノイド３３により可動するようにしている。前記作動体３２は、回動軸３４によって鉛直面内で揺動自在に軸支され、先端部を嘴状に尖らせて受止面３２ａを該作動体３２の回動軸３４がほぼ曲率中心である円弧面状に形成している。そして、前記払出回転体３０の軸支３９位置より上方位置で、作動体３２の先端部を前記軸ピン３８，３８間に臨ませて、該軸ピン３８を前記受止面３２ａで支持することにより、払出回転体３０の回転を制御し得るように設けられている。前記作動体３２は、基部に透孔４０が開設され、該透孔４０に略く字状に形成したリンク部材６５の係合ピン６６を係合させている。また、リンク部材６５は、作動体３２の下方に位置して軸６７により回動自在に軸着され、後端に二股状の係合部６８が形成されており、ソレノイド３３のプランジャ４１に固着された操作体６９の突片７０を係合させている。そして、ソレノイド３３を励磁することによってプランジャ４１がスプリング４２の弾性に抗して牽引されることから、リンク部材６５を介して、該作動体３２が回動軸３４を中心として図４矢印方向に回転するように構成されている。なお、作動体３２の配設位置は限定されるものではなく、払出回転体３０の周方向に移動可能であり、前記払出回転体３０の軸支３９位置より下方位置で、軸ピン３８を前記受止面３２ａで支持するようにしてもよい。というのも、例え作動体３２が逆さになった状態としても軸ピン３８が受止面３２ａに係止することになり、どの状態で係止しても払出回転体３０の荷重を回動軸３４で受けることになるため、作動体３２が誤作動することはない。
【００２９】
なお、前記作動体３２をリンク部材６５を介して電気的駆動源としてのソレノイド３３と連繋するようにしたが、リンク部材６５を介すことなく作動体３２に二股状の係合部等を形成し、ソレノイド３３のプランジャ４１のプランジャヘッドに直接係止させて、作動体３２をソレノイド３３と連繋するようにしてもよい。
【００３０】
また、前記排出通路部２９ｃには、払出回転体３０の凹歯３６の支持から解放され、払出された直後のパチンコ球を検知して計数する検知センサ４７を位置調整自在に設けている。該検知センサ４７は、発光部４７ａと受光部４７ｂからなる光学式センサであり、排出通路部２９ｃの中心線からずれた位置（排出通路部２９ｃの側壁から２．５ｍｍ〜５．５ｍｍ離間した位置）でその光軸が交差するように配置され、前記払出回転体３０による拘束から解放されたパチンコ球が光軸を遮ることで、該パチンコ球を検知し得るように配置される。なお、発光部４７ａ及び受光部４７ｂの光を通すスリットは、図６に示すようにパチンコ球の流下方向に対して直交状に設けられ、その幅は約１ｍｍである。これにより、パチンコ球の検出時間が長くなり高速の払出し（１分間に１，８００個の払出し）に対応できるようにしている。また、この実施の形態では検知センサ４７を、発光部４７ａと受光部４７ｂとが別体に形成されたものとしたが、当然のことながら発光部４７ａと受光部４７ｂとが一体式のものであってもよい。また、前記検知センサ４７の位置調整として、例えば検知センサ４７の固定手段をビス着としてケース体２８に取付用長孔を設けて位置調整可能としても、検知センサ４７を取着部材を介して取付けるようにして、該取着部材の係止位置を調整可能としてもよい。このとき、調整位置を確実にさせるための目盛りを設けたり、凹凸の噛合により調整位置を確実なものとするのが好ましい。さらに、検知センサ４７は光学式のものに限定されることはなく、電磁式，静電容量式等の検知形式のセンサを使用することも可能である。このとき、パチンコ球が払出されてからセンサに検知されるまでのタイムラグを踏まえ、過剰払出しを防止するために、払出回転体３０の凸歯３７の沿面距離Ｃを適宜長くするのが好ましい。なお、前記検知センサ４７は、凹歯３６の支持から解放される直前のパチンコ球を検知するようにしてもよい。また、前記移送通路部２９ｂに、払出回転体３０に支持される最先のパチンコ球を検知してパチンコ球の有無を検出する検知センサを設けるようにしてもよい。また、払出回転体３０が球荷重によってのみ回転することから、直接パチンコ球を検知することなく払出回転体３０の回転を検知するようにしてもパチンコ球の有無を検知することができる。
【００３１】
上記構成の球払出装置２４は、常態では図４に示すように、ソレノイド３３が消磁状態でプランジャ４１に巻装したスプリング４２の付勢により作動体３２の先端部が軸ピン３８，３８間に突出している。そして、球通路２９にパチンコ球が供給されると、図６に示すように最先のパチンコ球が払出回転体３０の凸歯３７で受けられると共に、該パチンコ球の荷重により払出回転体３０が回転しようとするも、軸ピン３８，３８間に突入した作動体３２の受止面３２ａで軸ピン３８が受けられて払出回転体３０の回転を停止制御する。このとき、作動体３２の受止面３２ａが回動軸３４を中心とした真円弧面であるため、軸ピン３８にかかる流入通路部２９ａ内のパチンコ球の荷重は、すべて作動体３２の回動軸３４に向い該回動軸３４で受けることになり、球荷重によって作動体３２を無用に回動させることはなく、確実に払出回転体３０の停止状態を保持することができる。
【００３２】
この状態で、入賞または貸球操作が行われると、球払出制御基板１８から球払出装置２４に球払出指令信号が発せられる。そして、その信号により図４鎖線に示すようにソレノイド３３が励磁し、それに伴い作動体３２が同図矢印方向に回動して、軸ピン３８との接触が解除されて払出回転体３０がフリー状態となる。このため、払出回転体３０が球通路２９のパチンコ球の荷重により同図矢印方向に回転し、図６鎖線に示すように凹歯３６の支持から解放されたパチンコ球は球検知センサ４７により検知計数される。このとき、凹歯３６に受入れられた最先のパチンコ球と該パチンコ球に支持された後続のパチンコ球間に凸歯３７の先端が臨み、後続のパチンコ球を逆流動させることなく分離する。そして、払出回転体３０の回転に伴い凹歯３６に受入れられた最先のパチンコ球は、凸歯３７の背面で支持されながら流下することになり、該パチンコ球と凹歯３６の後面側との間に隙間が生じ払出しがスムーズなものとなる。また、払出されるパチンコ球は、円弧状の移送通路部２９ｂにより流速が制御されて、該払出回転体３０の盲動を防止するようにしている。
【００３３】
そして、この状態で球検知センサ４７により所定数のパチンコ球の払出しが計数されると、ソレノイド３３が消磁してスプリング４２の付勢により作動体３２を図４実線位置に回動し、先端部が軸ピン３８，３８間に突出して該軸ピン３８を受止面３２ａで受止め、払出回転体３０の回転を停止制御する。このとき、凹歯３６に支持された最先のパチンコ球は、まだ移送通路部２９ｂ内に位置している。
【００３４】
また、常に作動体３２の回動軸３４をほぼ中心とした円弧面である受止面３２ａで軸ピン３８を制御支持することから、球荷重は必ず回動軸３４で受けられることになり、衝撃にも強く誤作動することもない。しかも、作動体３２の作動時も受止面３２ａが真円弧面であるために、軸ピン３８，３８間をスムーズに進退することができて負荷も少なく、払出回転体３０の停止及び解除を確実なものとすることができる。そのため、ソレノイド３３の吸引力は小さくてもよく、ソレノイド３３の小型化ができてコストの低減を図ることができる。
【００３５】
また、球通路２９の通路幅をパチンコ球がランダムに並ぶ幅広にすると共に、湾曲壁３５によってほぼパチンコ球１個分に漸次絞られることにより、湾曲壁３５で流速が弱められるブレーキ効果が得られる。しかも、図６に示すように該球通路２９の流入通路部２９ａに位置するパチンコ球の球心がずれて、その流下方向の球心間がパチンコ球の径より小となり、高速回転で払出しが行われてもパチンコ球間に隙間が生じることがなく、いわゆる「大当り」になって短時間に大量の賞球が払出される際にも、払出回転体３０に間断なく供給され確実に払出しが行われる。この実施の形態において、該払出回転体３０によって１分間に払出される最大払出個数は約１，６５０〜１，７５０個である。
【００３６】
また、高速の回転で払出しが行われると、凹歯３６で咥えられたパチンコ球を払出回転体３０の回転方向に運ぶ作用が生じるが、移送通路部２９ｂが軸心３９の側方から下方にかけて払出回転体３０を巻回するように下傾面状に設けられているため、凹歯３６で咥え込みながら払出回転体３０に沿って移送され、パチンコ球の拘束を無理なく解除して確実に払出すことができる。しかも、前記検出センサ４７が、払出回転体３０の回転方向に相対する側壁側に沿って位置をずらして設けられているため、払出されたパチンコ球がチャタリングを起すことなく確実に検出されることになる。
【００３７】
また、高速の払出しに伴ってパチンコ球の検出信号と静電気等によるノイズとが区別しづらくなり、パチンコ球の検出信号を確実に識別するために、パチンコ球の検出時に１０（ｍｓ）の波形（検出時間）を得るようにするのが好ましい。そのために、センサ４７を流下方向に例えば６ｍｍの間隔を隔てて複数並列して配設し、パチンコ球の検出時間を長くして１０（ｍｓ）の波形を得るのがよい。なお、このとき発光部４７ａを１つとして、この１つの発光部４７ａから発光した光を複数の受光部４７ｂで受光するようにしてもよい。このとき、センサ４７は排出通路部２９ｃの側壁から約４．５ｍｍ離間した球心に近い位置でその光軸が交差するように配置し、発光部４７ａのスリット幅を１．５ｍｍとし、上流側の受光部４７ｂと下流側の受光部４７ｂのスリット幅を異ならせ、それぞれ１．５ｍｍと１ｍｍとするのが好ましい。このように上流側を１．５ｍｍのスリット幅とすることで、パチンコ球間の波形（非検出時間）も適宜得ることができる。さらに、高速の払出しによって払出回転体３０の凹歯３６で咥え込まれたパチンコ球が、払出回転体３０の回転方向に運ばれるのに対応するために、複数のセンサ４７を流下方向に所定間隔を隔てて複数並列して設けると共に、例えば側壁から４ｍｍと６．５ｍｍというように複数のセンサ４７のそれぞれを排出通路部２９ｃの幅方向にも位置をずらして設けるようにしてもよい。なお、電気的駆動源をソレノイド３３とした際には、パチンコ球間の波形（非検出時間）はパチンコ球検出時の１０（ｍｓ）の波形より長い１５〜２０（ｍｓ）として、ソレノイド３３を停止制御しやすくするのがよい。
【００３８】
上記球払出装置２４の払出速度を速くするには、前記したように凸歯３７の背面の沿面距離Ｃを短くすればよく、例えば払出回転体３０を図７（イ）に示す巴形状が半径Ｒ８．５の払出回転体３０に交換することで、パチンコ球が凹歯３６に速く受入れられることになり、１分間に最大１，７５０〜１，８５０個払出すことが可能となる。また、図７（ロ）に示す凸歯３７の背面の沿面距離Ｃがさらに短い巴形状が半径Ｒ１０の払出回転体３０に交換することで、１分間に最大約１，９００〜２，０００個払出すことが可能となる。このように、巴形状の径を約１０〜１５ｍｍ単位で変えて、凸歯３７の背面の沿面距離Ｃを異ならせることで払出速度が変化し１分間の最大払出個数が約１００〜１５０個間隔で変化する。また、その払出個数の増加に伴って、センサ４７の位置を変更するのが好ましく、例えば側壁からの検知距離を徐々にパチンコ球の球心近傍を検知するようにずらすようにして、検知時間を長くするのがよい。当然パチンコ球の流下方向にセンサ４７を移動するようにしてもよい。なお、誘導樋２２の状況によっては払出しにパチンコ球が追いつかず球噛み又は空切りする怖れがあるため、その誘導樋２２の流下状況に合うように、前記凸歯３７の背面の沿面距離Ｃが異なる払出回転体３０を選択し交換するのが好ましく、パチンコ球の払出速度を変更するのがよい。また、例えば当初は半径Ｒ１０の払出回転体３０で払出しを行い、その払出速度に対応して供給が十分されていても、後日誘導樋２２が汚れ等により供給が間に合わなくなった場合に、凸歯３７の背面が半径Ｒ８又は半径Ｒ６．５の払出回転体３０に交換すればパチンコ球の払出速度が遅く変更され、供給と払出しのバランスがとれて球噛み又は空切りを解消することができる。
【００３９】
なお、この実施の形態における球通路２９の形状及び通路幅は限定されるものではなく、例えば球通路２９全体をほぼパチンコ球１個分の通路幅を有する垂直状としてもよい。
【００４０】
また、前記突出体としての軸ピン３８を払出回転体３０の側面に直接突設するようにしたが、払出回転体３０の側面に板状部を一体もしくは一体的に形成して該板状部に軸ピン３８を設けるようにしてもよい。さらに、図８に示すように払出回転体３０と同軸３９上に一体的に回転する円盤状の制御盤４８を設け、該制御盤４８に軸ピン３８を凹凸歯３６，３７と同ピッチで設けるようにすることで、払出回転体３０に軸ピン３８を設けることなく、該払出回転体３０を交換しても制御盤４８をそのまま使用することができ、コストの低減化を図ることができる。
【００４１】
このように、パチンコ球の荷重により従動回転する払出回転体３０を、凸歯の頂点から背面にわたり該払出回転体３０の回転中心３９からの距離が漸次減少するように形成されると共に該沿面距離が異なる様々な形状の払出回転体３０に交換するだけで、所定時間内に払出される連続払出個数の最大値を変更することができる。延いては、供給経路の所定時間内に供給し得る個数に対応して、払出回転体３０を交換することができる。
【００４２】
次に、図９乃至図１５を参照して流速規制手段を備えた球通路を交換自在とした実施の形態を説明する。なお、前記実施の形態と同じ構成要素には同一符号を付して説明する。この実施の形態において屈曲樋２２ｂの供給通路２１は、ほぼパチンコ球１個分の１２ｍｍとしている。ケース体２８は、図１０に示すように所定範囲を球通路設置部４９としてその上下を開放した枠状に形成され、前記球通路設置部４９に球通路２９を備えた通路部５１が交換自在に設けられる。前記球通路設置部４９は、前記払出回転体３０の軸止部３９ａを除いたほぼ方形状をしており、該軸止部３９ａが交換自在に設けられる通路部５１の位置決めとなっている。前記通路部５１は互換性を有するように、前記球通路設置部４９に合致するベース板５０に球通路２９を形成している。該球通路２９は、パチンコ球の流れを規制する流速規制手段として、所定形状に屈曲又は湾曲する等してパチンコ球の流下方向を変えることにより流速が変化するようにしている。そして、実施の形態において、図９に示すように流入通路部２９ａの下流一部を湾曲してその曲壁５２の曲率を変えることで流速を変更し、パチンコ球の払出速度が変更され払出個数が変更するようにしている。例えば、曲壁５２の曲率を大きくすると曲率が滑らかになるため減速度合が小さくなって流速が速くなり、逆に湾曲率を小さくすると減速度合が大きくなってブレーキ効果が強くなる。それに伴って払出回転体３０の払出速度が変更され、所定時間（１分間）に払出される最大払出し個数が変化する。
【００４３】
なお、この実施の形態の制御手段は、突出体を作動体３２との接触時の衝撃に強くなるように板状の立壁７５として、回転方向にやや螺旋状に湾曲して基部を連ならせ、前記払出回転体３０（半径Ｒ６．５の巴形状）の側面に支軸３９を中心とした放射状となるように設けている。そして、リンク部材を介在させることなく、作動体３２の後端に二股状の係合部６８を形成し上端を軸支３４して、突出体としての立壁７５と確実に接触係合するようにしており、作動体３２と接触する回転方向側を作動体３２の受止面３２ａとほぼ同形状としている。前記作動体３２は、払出回転体３０の支軸３９より下方であり軸支３４直下より作用方向側で係合するようにしており、作動体３２の復動時には払出回転体３０の回転に伴って立壁７５が作動体３２と共に互いに近づくように移動するため、回転制御が確実なものとなり、過剰切りすることがない。
【００４４】
この実施の形態において、その曲壁５２を半径Ｒ１５，半径Ｒ２５，半径Ｒ４０の湾曲とした３種類の球通路２９を例にして説明する。図９に示す球払出装置２４の流入通路部２９ａは、払出回転体３０を回転させる方向に球圧が付与するように屈曲（半径Ｒ１５の円弧）して形成されている。また、排出通路部２９ｃは、側壁位置をほぼ支軸３９直下に位置して回転方向に幅広に形成され、払出回転体３０の高速回転によって巻き込むように払出されるパチンコ球が、側壁に衝突して払出回転体３０の回転が乱れ、それに伴い後続のパチンコ球の流下態様に影響を及ぼして、球噛み或いはパチンコ球が踊り検知センサ４７でチャタリングを起こして誤作動を惹き起す等の不具合を解消するようにしている。なお、移送通路部２９ｂは、通路幅を１１．５ｍｍ程度としてパチンコ球の遊びをなくすのが好ましく、パチンコ球が踊らずセンサ４７でチャタリングを発生させることがない。なお、流入通路部２９ａの終端から移送通路部２９ｂにかけて、払出回転体３０の軸心３９を中心とした円弧状に形成してもよい。
【００４５】
このように構成される球払出装置２４は、ソレノイド３３が励磁して作動体３２が後退して立壁７５との係合を解除すると、払出回転体３０が球荷重により回転し排出通路部２９ｃでセンサ４７により所定個数がカウントされる。そして、ソレノイド３３が消磁して作動体３２が復動すると、該作動体３２が立壁７５に係合し払出回転体３０が停止制御される。この実施の形態の１分間の最大払出個数は、約１，６５０〜１，７５０個である。そして、例えばホールからもう少し早くパチンコ球を払出したいという要望により、前記通路部５１を図１１に示す曲壁５２の湾曲度合の緩い半径Ｒ２５又は半径Ｒ４０の球通路２９に交換することで、流下速度が速くなりパチンコ球の払出速度が変更されて、１分間に約１，７５０〜１，９００個の払出しが可能となる。また、逆に最初に球通路２９の曲壁５２が半径Ｒ４０の通路部５１が組付けられ、誘導樋２２の汚れ等により供給が追いつかなくなり球噛み・空切りが起きた場合には、半径Ｒ１５又は半径Ｒ２５の球通路２９の通路部５１に交換するだけで、流速が規制されて流下速度が遅くなり確実な払出しを行うことができる。なお、前記流速規制手段を曲壁５２としてパチンコ球の流下方向を変えることにより流速が変化するようにしたが、球通路を直線的に屈曲させて傾斜角度を異ならせるようにしてもよい。また、通路部５１は上記形態に限定されることなく、様々な形状が考えられる。例えば図１２（イ）に示すように流速規制部（曲壁５２）を複数設けるようにしてもよく、さらに前記第１実施の形態に示したように、流入通路部２９ａの始端部を幅広として、流速規制部としての曲壁５２の湾曲度合を変化させてパチンコ球の流下方向を変えるようにしてもよい（図１２（ロ）参照）。また、実施の形態において、流速規制手段として球通路２９を払出回転体３０の回転面内で屈曲するようにしたが、払出回転体３０の回転面内と交差する方向に屈曲させるようにしてもよい。さらに、流速規制部（曲壁５２）を複数設ける際には、払出回転体３０の回転面内及び回転面内と交差するように屈曲方向を異ならせて三次元的に方向性を変えることで、払出しのばらつきが少なくなる。なお、払出しの速度に対応して、排出通路部２９ｃの形状を傾斜状にする等変化させるようにしてもよい。なお、この実施の形態において払出制御体として、スプロケットタイプの払出回転体３０としたが、球通路２９内に回動又はスライドにより進退して該球通路２９を自重で流下するパチンコ球を直接制御する制御体としてもよい。
【００４６】
また、突出体を板状の立壁７５とすることにより、作動体３２との接触時の衝撃にも強くなると共に、前記立壁７５を放射状となるように設けることで該立壁７５が羽根となり、前記払出回転体３０が回転することにより周辺空気が拡散され、生じる風をソレノイド３３に当てることで該ソレノイド３３を冷却することができる。このため、ソレノイド３３が頻繁に作動したとき等に生じていた過熱を防止することができ、熱によるソレノイド３３の能力低下をきたすことがなく、予め容量の小さいソレノイドとすることができ、コストの低減化を図ることができる。なお、他のソレノイドの過熱防止として、ソレノイド３３を励磁して作動体３２と突出体との係止を解除した状態で、所定個数の払出しが検知されるまでプランジャ４１が復動しないようにオン・オフ制御を連続して行うようにしてもソレノイドの過熱を防止することができる。
【００４７】
また、実施の形態において、球通路２９全体を含む通路部５１を交換可能としたが、前記球通路２９を、前記供給通路２１と連通する流入通路部２９ａと、前記払出回転体３０によってパチンコ球が移動する移送通路部２９ｂと、前記払出回転体３０の支持から外れて払出される排出通路部２９ｃとで構成し、それぞれを分割形成するようにして、例えば流入通路部２９ａのみを交換自在としてもよい。また、図１３に示すように流入通路部２９ａの一部であり流下方向を変えることにより流速を変化させる流速規制部（曲壁５２）を有する流速規制通路部５１ａだけを交換可能としてもよく、流速を規制する主要部の交換だけで済むため、部品の共有化が多くできコストの低減化を図ることができる。さらに、流速規制手段を有する球通路２９を交換自在とすると共に前記実施の形態で示したように、払出回転体３０を交換自在としてもよく、この組合せにより、自重による高速払出しの上限（１分間に約２，０００〜２，３００個）としてより多くの払出態様が可能となり、前記凸歯３７の背面の沿面距離Ｃが異なる払出回転体３０又は流速規制手段が異なる球通路２９の少なくともいずれか一方を交換することによりパチンコ球の払出速度が変更され、任意に最大払出個数を変更設定することができ、ホール毎又は機種（供給経路）毎に適応した球払出装置２４とすることができる。
【００４８】
また、作動体３２の内面に球噛み防止用の突部８２を設けるようにしてもよく、該突部８２は、払出回転体３０の静止時に突出体としての立壁７５の真後ろに位置するように設定するのがよい。好ましくは、図１４に示すように受止面３２ａの先端から突出体に干渉する位置まで帯状に設けるのがよく、作動体３２の復動時に突出体が突部８２に係止して、払出回転体３０の正規位置への復動を妨げないようにするのがよい。突部８２を設けることで、同図鎖線に示すように万一凸歯３７の先端と球通路２９の側壁でパチンコ球を挟んで球噛みしても、作動体３２の復帰時に前記突部８２が立壁７５を押して払出回転体３０の回転を促し、球噛みを確実に解除することができる。さらに、払出回転体３０の正規位置を検知するセンサを設け、ソレノイド３３が消磁した時に前記センサが検知されないと、ソレノイド３３を所定回数励磁・消磁を繰返し、前記突部８２により払出回転体３０を正規位置に誘導させるようにしてもよい。なお、作動体３２の突部８２に換えて立壁７５の後面に突出部を設けて、突部８２と同様の働きをさせるようにしてもよい。また、作動体３２の先端を直接立壁７５の基部に衝止するようにして、球噛みを解除したり払出回転体３０を正規位置に誘導させたりするようにしてもよい。
【００４９】
なお、作動体３２とソレノイド３３と連繋させる際に、図１４に示すように操作体６９を介すことなく、作動体３２に突出形成した係止部８０を、ソレノイド３３のプランジャ４１の先端に形成されるダブル皿８１間に直接係止するようにしてもよい。前記ダブル皿８１の形状は、係止部８０に確実に係止するように方形状とするのが好ましい。このとき、プランジャ４１の先端に荷重があるため復帰ばね４２を弱くすることができる。
【００５０】
図１５及び図１６に流速規制手段の他の実施の形態を示す。この実施の形態の流速規制手段は、球通路２９に進退自在に臨んで設けられ、該球通路２９を流下するパチンコ球が接触する可動体５３である。この実施の形態の可動体５３は、球通路２９に臨んで揺動自在に設けられ、球通路２９を流下するパチンコ球が接触することにより流速が規制される。そして、前記可動体５３が設けられる通路部５１がケース体２８に交換自在に設けられ、前記可動体５３の荷重を異ならせた通路部５１に交換することにより、該球通路２９を流下するパチンコ球の流速が変更し、パチンコ球の払出速度が変更される。そして、該通路部５１を任意に交換することで所定時間内に連続して払出される最大払出個数を変更することができる。なお、前記可動体５３の荷重を変えることなく、図１６に示すように可動体５３を球通路２９内に進出させるように付勢する付勢部材としてのスプリング５４を設け、該スプリング５４の付勢力を異ならせた通路部５１に交換することで、スプリング５４の付勢力の相違によりパチンコ球の流下速度を変更することができ、延いては所定時間内に連続して払出される最大払出個数を変更することができる。なお、付勢部材としては、板ばね，ウレタン等の弾性復帰し得るものであればよい。
【００５１】
また、前記可動体５３を実施の形態に示した払出回転体３０と同様の回転体としてもよく、該回転体は球通路２９のパチンコ球を自重で流下させることにより従動して回転し、外周に複数の凹凸部が定ピッチで設けられ、該凸部の頂点から背面にわたり該回転体の回転中心からの距離が漸次減少する巴形状に形成される。そして、前記巴形状の沿面距離Ｃが異なる回転体を備えた通路部５１に交換することにより、球通路２９を流下するパチンコ球の流速が変化し、それに伴いパチンコ球の払出速度が変更されて所定時間内に連続して払出される最大払出個数を変更することができる。なお、前記回転体は、球通路２９に対して払出制御体と同じ側に設けても該払出制御体と相対する側に設けてもよい。
【００５２】
また、球通路２９に臨みパチンコ球に接触して負荷を付与する可動体５３は、板ばねを球通路２９に臨ませる等、他に様々な形態が考えられる。また、流速規制手段としての可動体５３を球通路２９に交換自在に設け、前記可動体５３を荷重又は付勢力等が異なるものに交換するようにしてもよく、パチンコ球の流れが規制されてパチンコ球の払出速度が変更され、パチンコ球の払出速度を制御可能として所定時間内に払出される最大払出個数を変更することができる。
【００５３】
さらに、他の流速規制手段として、前記払出回転体３０に負荷を掛けるように同軸３９にウェイト盤を設けるようにしてもよく、該ウェイト盤の荷重を変更することでパチンコ球の払出速度を変更するようにしてもよい。また、払出回転体３０と同軸３９にギアを設け、該ギアに負荷ギアを噛合させるようにしてもよい。このとき、負荷ギアの荷重を変更するようにしても、予め負荷ギア用の軸孔を複数形成し、負荷ギアの径を変更することで払出回転体３０に掛かる負荷を変更して、パチンコ球の払出速度を変更するようにしてもよい。
【００５４】
なお、払出回転体３０の回転制御を軸ピン３８を介して行うようにしたが、払出回転体３０に軸ピン３８を設けることなく、作動体３２を直接凹凸歯３６，３７に係合させて回転を制御するようにしてもよい。また、他の回転制御方法として、払出回転体３０の凹歯３６に受入れられたパチンコ球を制御することで払出回転体３０の回転を制御することができる。また、払出回転体３０の回転により凹歯３６から進退して該払出回転体３０を所定角度位置で停止させる位置決め用球体を備え、該位置決め用球体を押圧等により規制することで、払出回転体３０の回転を制御するようにしてもよい。
【００５５】
また、球タンク２０に貯留されたパチンコ球を誘導樋２２を介して球払出装置２４に導くようにしたが、球タンク２０にパチンコ球を貯留することなく、パチンコ遊技機にパチンコ球を補給する補給樋から誘導樋を介して直接球払出装置２４に供給するようにしてもよい。
【００５６】
なお、本発明の球払出装置２４は、実施の形態に示したパチンコ遊技機に設けられる賞球及び貸球の払出しに限られることなく、パチンコ遊技機間に設けられる球貸し機，球タンク２０への補給機としても適用することができる。さらに、本発明の球払出装置２４が高速の払出しに対応できることから、パチンコ球を賭数として回収して変動図柄を揃えて遊技する「パチロット」の供給皿に設けられる回収装置及び賞球払出装置にも適用することができる。特に、球通路２９を幅広とした球払出装置２４を回収装置として使用した際には、供給皿の整流通路を幅広とすることができ該整流通路を掃除しやすくできる効果を奏する。
【００５７】
【発明の効果】
以上述べたように、本発明に係る球払出装置は、パチンコ球の球荷重により従動回転する払出回転体又は球通路を交換自在として、該払出回転体又は球通路を交換することにより、パチンコ球の払出速度が変更され、所定時間に連続して払出される最大払出個数を任意に設定変更できるようにしたので、その供給状態，機種毎により最適な払出状態を実現することができる。
【図面の簡単な説明】
【図１】パチンコ遊技機の正面図である。
【図２】パチンコ遊技機の裏面図である。
【図３】本発明に係る球払出装置の分解斜視図である。
【図４】一部断面にして示す球払出装置の正面図である。
【図５】球払出装置の平断面図である。
【図６】球払出装置の正断面図である。
【図７】（イ），（ロ）は他の実施の形態の払出回転体の正面図である。
【図８】他の実施の形態の側面断面図である。
【図９】他の実施の形態の球払出装置の正断面図である。
【図１０】ケース体の斜視図である。
【図１１】（イ），（ロ）は他の実施の形態の通路部の正面図である。
【図１２】（イ），（ロ）は他の実施の形態の通路部の正面図である。
【図１３】他の実施の形態の球払出装置の正断面図である。
【図１４】他の実施の形態の球払出装置の正断面図である。
【図１５】他の実施の形態の通路部の要部正断面図である。
【図１６】他の実施の形態の通路部の要部正断面図である。
【符号の説明】
２４                球払出装置
２９                球通路
２９ａ              流入通路部（球通路）
２９ｂ              移送通路部（球通路）
２９ｃ              排出通路部（球通路）
３０                払出回転体（払出制御体）
３６                凹歯（凹部）
３７                凸歯（凸部）
３９                回転軸心（回転中心）
５１                通路部
５１ａ              流速規制通路部
５２                曲壁（流速規制手段）
５３                可動体（流速規制手段）
５４                スプリング（付勢部材）
Ｃ                  沿面距離
【図１】
2004305512.tif 000003
【図２】
2004305512.tif 000004
【図３】
2004305512.tif 000005
【図４】
2004305512.tif 000006
【図５】
2004305512.tif 000007
【図６】
2004305512.tif 000008
【図７】
2004305512.tif 000009
【図８】
2004305512.tif 000010
【図９】
2004305512.tif 000011
【図１０】
2004305512.tif 000012
【図１１】
2004305512.tif 000013
【図１２】
2004305512.tif 000014
【図１３】
2004305512.tif 000015
【図１４】
2004305512.tif 000016
【図１５】
2004305512.tif 000017
【図１６】
2004305512.tif 000018